(57)【要約】【課題】玉磨き揚送装置においてパチンコ玉が玉案内溝から脱出しないように工夫して、扉又は装置の破損を未然に防止する、【解決手段】遊技機から外れ玉として排除され、回収用搬送装置により回収位置まで搬送されてきたパチンコ玉を回転される搬送ベルトと固定された研磨布により磨きながらリサイクル補給用の上部タンクまで揚送する玉磨き揚送装置において、研磨布に搬送ベルトの長手方向に延びる複数条の玉案内溝を形成する搬送レールを保持し、かつ、研磨布を搬送ベルトの揚上面に対向させる扉に、その扉の両側部から搬送ベルトの幅方向端部と研磨布の幅方向端部との間に玉案内溝の最も外側の玉案内溝の付近まで延びて、その玉案内溝からのパチンコ玉の脱出を防止する部材を設けた。【選択図】　　　図１
2004073303.tif 000002
【特許請求の範囲】
【請求項１】
遊技機から外れ玉として排除され、回収用搬送装置により回収位置まで搬送されてきたパチンコ玉を回転される搬送ベルトと固定された研磨布により磨きながらリサイクル補給用の上部タンクまで揚送する玉磨き揚送装置において、
前記研磨布に前記搬送ベルトの長手方向に延びる複数条の玉案内溝を形成するレール体を保持し、かつ、前記研磨布を前記搬送ベルトの揚上面に対向させて保持する扉に、その扉の両側部から前記搬送ベルトの幅方向端部と前記研磨布の幅方向端部との間に前記玉案内溝の最も外側の玉案内溝の付近まで延びて、その玉案内溝からのパチンコ玉の脱出を防止する部材を設けたことを特徴とする玉磨き揚送装置。
【発明の詳細な説明】
【０００１】
【発明の属する技術分野】
本発明は、遊技機から外れ玉として排除され、回収用搬送装置により回収位置まで搬送されてきたパチンコ玉を回転される搬送ベルトと固定された研磨布により磨きながらリサイクル補給用の上部タンクまで揚送する玉磨き揚送装置に関する。
【０００２】
【従来の技術】
一般に、玉磨き揚送装置は、図３に示すように、フレーム１に上下のプーリ２，３及び中間のテンションプーリ４ａ，４ｂ，４ｃにより無端ベルトで構成された搬送ベルト５を緊張状態に張設するとともに、図４に示すように、そのフレーム１に搬送ベルト５の上昇側においてヒンジ及びロック（図示省略）により開閉自在に取付けられた扉６の内面にレール体７を介して研磨布８を固着し、レール体７に形成されている溝９に沿って研磨布８に複数条の玉案内溝１０を形成してあり、扉６を図３に示すように所定位置に閉じてロックした時は、回収位置まで回収されたパチンコ玉Ｐが、シュータ１１を介して搬送ベルト５の下端部付近に設けてある玉取込み口から、所定方向に回転されている搬送ベルト５と研磨布８の間を、各玉案内溝１０に沿って１列ずつ回転され、磨かれながら揚送され、搬送ベルト５の上端部からダクト１２を介して図外の上部タンクに排出されるように構成されている。１３は駆動プーリ３を回転させるモータである。
【０００３】
図４は、上記従来の玉磨き揚送装置の搬送ベルト５と扉６の部分の横断面図である。扉６は、レール体７及び研磨布８を収容するための正面板６ａと左右の側面板６ｂと、扉６の閉鎖時のフレーム１に対する位置決めのため、側面板６ｂの端部から背面側に屈曲された背面壁６ｃとを有する箱型に形成されている。そして、その背面壁６ｃはレール体７からパチンコ玉Ｐの直径よりも大きい距離を隔てられ、かつ、扉閉鎖時には背面壁６ｃは搬送ベルト５の幅方向端部よりも内側（レール体から搬送ベルトよりも遠い側）に位置されていた。
【０００４】
【発明が解決しようとする課題】
従来の扉は、上記のような構造であるため、背面壁６ｃとレール体７及び研磨布８の間に、パチンコ玉の径よりりも大きい間隙１４が扉の上下方向に連続して形成されていた。そのため、搬送ベルト５に揺れが生じた場合などに、とくに最外側の玉案内溝１０を研磨されながら転動するパチンコ玉Ｐが図４のＰ´のように、玉案内溝１０から脱出し、最初は下方に落下し、時間の経過とともに脱出した玉数が増え、それらの脱出した玉の中には搬送ベルト５から揚上力を受けるため、互いに接触する大量の玉が扉６の上端部における背面壁６ｃ又はフレーム１に激突してそれらを破損又は摩耗させ、あるいは、上部プーリ２と扉６の間に無理な力を加えて、装置を破損させる恐れがあった。
【０００５】
本発明は、上記の事情に鑑みてなされたものであり、その課題は、搬送ベルトと研磨布により研磨されながら転動するパチンコ玉が玉案内溝から脱出しないように工夫して、扉又は装置の破損を未然に防止することにある。
【０００６】
上記課題を解決するため、本発明に係る玉磨き揚送装置は、研磨布に搬送ベルトの長手方向に延びる複数条の玉案内溝を形成する搬送レールを保持し、かつ、研磨布を搬送ベルトの揚上面に対向させる扉に、その扉の両側部から搬送ベルトの幅方向端部と前記研磨布の幅方向端部との間に最も外側の玉案内溝の付近まで延びて、その玉案内溝からのパチンコ玉の脱出を防止する部材を設けたことを特徴としている。
上記構成により、搬送ベルトが揺れても、搬送ベルトの幅方向端部と研磨布の幅方向端部の間は、玉脱出防止部材で塞がれているので、最外側の玉案内溝からパチンコ玉が脱出することはできない。
【０００７】
【発明の実施の形態】
次に、本発明の実施の形態について、図面を参照して説明する。
図１は、本発明に係る玉磨き揚送装置の搬送ベルトと扉の部分の横断面図である。図４の従来装置の構成部材と同一の部材には、同一符号を用いる。
扉６は、正面板６ａと左右の両側板６ｂと、扉閉鎖時のフレームに対する位置決めのための背面壁６ｃを有する点は、図４の従来装置の扉６と同一である。
そして、扉６の正面板６ａの内側には、背面側に縦方向に連続する複数条の溝９を有するレール体７が固着され、そのレール体の背面側に研磨布８が保持されて、レール体の各溝に沿って窪む同数の玉案内溝１０が形成されている点も図４の従来装置と異ならない。
【０００８】
本発明による玉磨き揚送装置においては、扉６の左右の側面板６ｂの内面に、レール体７の背面からパチンコ玉の径よりも小さな距離を隔てた位置で、しかも、扉６を閉鎖した時に搬送ベルト５に接触しない位置を研磨布８の最外側の玉案内溝１０の付近まで延びる玉脱出防止部材６ｄが新たに設けられている。
この玉脱出防止部材６ｄを付加したことにより、扉６を閉め、ロックした時は、図１に示すように、玉脱出防止部材６ｄの先端により搬送ベルト５の幅方向端部と研磨布８の幅方向端部の間が塞がれる。
【０００９】
玉脱出防止部材６ｄは、扉６の左右側面板６ｂの内面に設ける代わりに、図２に例示するように、背面壁６ｃに設けてもよい。図示の例で、玉脱出防止部材６ｄが左右側面板６又は背面壁６ｃに一体に成形されているので、扉６の成形時に一体に成形することができる利点がある。しかし、扉と別体に成形したものをネジ等で一体的結合しても良いことは多言を要しない。
【００１０】
上記構成により、扉６の閉鎖時は、玉脱出防止部材６ｄの先端が搬送ベルト５の幅方向端部と研磨布８の幅方向端部の間を塞ぐので、搬送ベルト５に図１において紙面の上下方向の揺れが生じても、パチンコ玉が最外側の玉案内溝１０から脱出することが有効確実に防止される。従って、従来生じていた脱出した玉による扉又は装置の破損などの問題が解消された。
【００１１】
【発明の効果】
上述のように、本発明によれば、搬送ベルトと研磨布により研磨されながら転動するパチンコ玉が玉案内溝から脱出することがないので、扉又は装置の破損が防止される。
【図面の簡単な説明】
【図１】本発明に係る玉磨き揚送装置の搬送ベルトと扉の部分の横断面図。
【図２】他の実施の形態を示す同様の横断面図。
【図３】従来の玉磨き揚送装置の概略図。
【図４】従来の玉磨き揚送装置の搬送ベルトと扉の部分の横断面図。
【符号の説明】
５　　　搬送ベルト
６　　　扉
６ａ　　正面板
６ｂ　　側面板
６ｃ　　背面壁
６ｄ　　玉脱出防止部材
Ｐ，Ｐ´パチンコ玉
７　　　レール体
８　　　研磨布
９　　　溝
１０　　　玉案内溝
【図１】
2004073303.tif 000003
【図２】
2004073303.tif 000004
【図３】
2004073303.tif 000005
【図４】
2004073303.tif 000006